(57)【要約】【課題】コンクリートスラブを支持したままで大引や根太を外すことができ、大引や根太の取外しが無音で安全に一人の作業者によって行え、かつ、大引や根太の有効利用を図ることができるスラブ型枠の解体用補助金物を提供する。【解決手段】底板２の両端に一対の起立壁３、３を立設して上向きコ字状の金具本体４を形成し、前記両起立壁３、３は、その対向面間に大引Ａの幅寸法が嵌合する間隔で対向し、かつ、上下寸法が大引Ａとその上に重なる根太Ｂの合計高さ寸法よりも長く設定され、前記両起立壁３、３の上端にスラブ型枠Ｃの下面に対する当接片５、５を外側に向けて折り曲げ形成すると共に、前記底板２の下面にパイプサポートＤの上端開口に対する嵌合突起６を設ける。【選択図】図１
2006028947.tif 000002
【特許請求の範囲】
【請求項１】
帯状金属板を用い、底板の両端に一対の起立壁を立設して上向きコ字状の金具本体を形成し、前記両起立壁は、その対向面間に大引の幅寸法が嵌合する間隔で対向し、かつ、上下寸法が大引とその上に重なる根太の合計高さ寸法よりも長く設定され、前記両起立壁の上端にスラブ型枠の下面に対する当接片を外側に向けて折り曲げ形成し、前記底板の下面にパイプサポートの上端開口に対する嵌合突起を設けたスラブ型枠の解体用補助金物。
【発明の詳細な説明】
【技術分野】
【０００１】
この発明は、コンクリートスラブを形成するスラブ型枠の大引や根太を、コンクリートスラブを支持したままで外すことができ、取外しが無音で安全に行え、かつ、大引や根太の有効利用を図ることができるスラブ型枠の解体用補助金物に関する。
【背景技術】
【０００２】
コンクリートスラブは、所定間隔で配置した大引の上に一定間隔で根太を交差上に配置し、前記大引を複数のパイプサポートで支持し、前記根太の上に敷設したスラブ型枠上に配筋した状態でコンクリートを打設することによって構築されることになる。
【０００３】
一般的に、上記したスラブ型枠の支持構造は、コンクリートの養生期間だけそのまま放置し、コンクリートの凝固後に、パイプサポートを取外して大引の支持を解き、この大引と根太及びスラブ型枠を解体するようにしている。
【発明の開示】
【発明が解決しようとする課題】
【０００４】
ところで、スラブコンクリートの養生には比較的期間がかかり、養生期間だけそのまま放置していると、大引や根太の利用効率が悪くなり、多層建築物を構築する場合、大引や根太の搬入量が多くなるという問題がある。
【０００５】
また、解体時にパイプサポートを取外して大引の支持を解くと、大引や根太が落下して騒音が発生し、大引や根太に損傷が生じるだけでなく、作業の安全面でも好ましくなく、これを防ぐには、複数の作業員で解体作業を行わなければならないという問題もある。
【０００６】
そこで、この発明の課題は、コンクリートスラブを支持したままで大引や根太を外すことができ、大引や根太の取外しが無音で安全に一人の作業者によって行え、かつ、大引や根太の有効利用を図ることができるスラブ型枠の解体用補助金物を提供することにある。
【課題を解決するための手段】
【０００７】
上記のような課題を解決するため、この発明は、帯状金属板を用い、底板の両端に一対の起立壁を立設して上向きコ字状の金具本体を形成し、前記両起立壁は、その対向面間に大引の幅寸法が嵌合する間隔で対向し、かつ、上下寸法が大引とその上に重なる根太の合計高さ寸法よりも長く設定され、前記両起立壁の上端にスラブ型枠の下面に対する当接片を外側に向けて折り曲げ形成し、前記底板の下面にパイプサポートの上端開口に対する嵌合突起を設けた構成を採用したものである。
【０００８】
ここで、金具本体は所定の幅と厚さを有する帯状金属板を上向きコ字状に折り曲げることによって形成され、両起立壁の上下寸法は、大引とその上に重なる根太の合計高さ寸法よりも大引の高さ分だけ長くなる程度に設定されている。
【発明の効果】
【０００９】
この発明によると、上向きコ字状に形成した金具本体の両起立壁を、その対向面間に大引の幅寸法が嵌合する間隔で対向し、かつ、上下寸法が大引とその上に重なる根太の合計高さ寸法よりも長く設定し、前記両起立壁の上端にスラブ型枠の下面に対する当接片を外側に向けて折り曲げ形成し、前記底板の下面にパイプサポートの上端開口に対する嵌合突起を設けたので、パイプサポートの上端に取付け、大引に外嵌させた状態で、コンクリートを打設したスラブ型枠を下面から支持するができ、これにより、パイプサポートでの大引の支持を解くと、下降した大引と根太が金具本体の底板で受けられ、従って、コンクリートスラブを支持したままで大引と根太を外すことが可能になり、スラブコンクリートの養生期間中に大引と根太を他の部分に転用でき、大引や根太の有効利用を図ることができる。
【００１０】
また、パイプサポートでの支持が解かれた大引と根太は金具本体の底板で受けられることになるので、床面に直接落下するようなことがなく、大引や根太の取外しが無音で安全に一人の作業者によって行え、大引や根太及び床面に損傷を生じさせることなくスラブ型枠の解体が可能になる。
【発明を実施するための最良の形態】
【００１１】
以下、この発明の実施の形態を図示例と共に説明する。
【００１２】
図示のように、スラブ型枠の解体用補助金物１は、底板２の両端に一対の起立壁３、３を立設して上向きコ字状の金具本体４を形成し、前記両起立壁３、３は、その対向面間に大引Ａの幅寸法が嵌合する間隔で対向し、かつ、上下寸法が大引Ａとその上に重なる根太Ｂの合計高さ寸法よりも長く設定され、前記両起立壁３、３の上端にスラブ型枠Ｃの下面に対する水平の当接片５、５を外側に向けて折り曲げ形成し、前記底板２の下面にパイプサポートＤの上端開口に対する円軸状の嵌合突起６を設けた構造になっている。
【００１３】
上記金具本体４は、所定の幅と厚さ、例えば、幅３０ｍｍ、板厚３ｍｍの帯状金属板を用い、底板２の両端に一対の起立壁３、３と、両起立壁３、３の上端に３０ｍｍ程度の長さとなる水平の当接片５、５をプレスで一体に折り曲げ加工して形成され、底板２の下面に円軸状の嵌合突起６が溶接固定されている。
【００１４】
ここで、一般に用いられている大引Ａと根太Ｂは、６０ｍｍ角の鋼管であり、従って、上記両起立壁３、３の対向面の間隔は、大引Ａの幅が余裕をもって収まる７０ｍｍに設定され、また、両起立壁３、３の上下寸法は２００ｍｍ程度に設定し、上下に一本の大引Ａの高さ寸法程度の余裕があるようになっている。
【００１５】
また、上記大引Ａはその配置時に二本が並列する状態が生じる場合があり、このような大引Ａの二本並列部分に対応するため、上記した金具本体４には、上記両起立壁３、３の対向面の間隔を、二本の大引Ａが余裕をもって収まる１３０ｍｍに設定したものを用いるようにする。
【００１６】
この発明のスラブ型枠の解体用補助金物は、上記のような構成であり、図１（ａ）と図２（ａ）のように、所定間隔で配置した大引Ａの上に一定間隔で根太Ｂを交差上に配置し、前記大引Ａを複数のパイプサポートＤ1で支持し、前記根太Ｂの上に敷設したスラブ型枠Ｃ上に配筋した状態でコンクリートを打設することによってコンクリートスラブＥが構築されることになる
【００１７】
上記コンクリートスラブＥの構築において、解体用補助金物１を別に用意したパイプサポートＤの上端に取付け、このパイプサポートＤを起立させて、両起立壁３、３を大引Ａに外嵌させた状態で、上端の当接片５、５をスラブ型枠Ｃの下面に当接するようパイプサポートＤの高さ寸法を設定すれば、コンクリートを打設したスラブ型枠Ｃを下面から支持するができる。
【００１８】
このように、スラブ型枠Ｃを下面から支持した状態で、パイプサポートＤ1での大引Ａの支持を解くと、スラブ型枠Ｃに対して大引Ａと根太Ｂが下降し、図１（ｂ）と図２（ｂ）のように、下降した大引Ａと根太Ｂが金具本体４の底板２で受けられる。
【００１９】
従って、パイプサポートＤの上端に取付けた解体用補助金物１でコンクリートスラブＥを支持した状態で、先ず、根太Ｂを大引Ａ上から引き抜くようにして取外し、次に、大引Ａを金具本体４内から長さ方向に引き抜くように外すことにより、スラブコンクリートＥの養生期間中に大引Ａと根太Ｂを取外して他の部分に転用することができ、これによって大引Ａや根太Ｂの有効利用を図ることができる。
【００２０】
また、スラブ型枠Ｃに対して下降させた大引Ａと根太Ｂを金具本体４の底板２で受けることにより、大引Ａと根太Ｂが床面に直接落下するようなことがなく、大引Ａや根太Ｂの取外しが無音で安全に一人の作業者によって行え、大引Ａや根太Ｂ及び床面に損傷を生じさせることなく解体が可能になる
【００２１】
なお、コンクリートスラブＥの養生期間の経過後に、パイプサポートＤを収縮させて上端に取付けた解体用補助金物１を下降させ、スラブ型枠Ｃの支持を解けば、スラブ型枠Ｃの解体取外しが可能になる。
【図面の簡単な説明】
【００２２】
【図１】（ａ）はスラブ型枠の解体用補助金物の使用状態を示す大引と根太の解体前の縦断正面図、（ｂ）は同大引と根太の解体後の縦断正面図
【図２】（ａ）はスラブ型枠の解体用補助金物の使用状態を示す大引と根太の解体前の縦断側正面図、（ｂ）は同大引と根太の解体後の縦断側面図
【図３】スラブ型枠の解体用補助金物の斜視図
【符号の説明】
【００２３】
１      解体用補助金物
２      底板
３      起立壁
４      金具本体
５      当接片
６      嵌合突起
Ａ      大引
Ｂ      根太
Ｃ      スラブ型枠
Ｄ      パイプサポート
Ｅ      コンクリートスラブ
【図１】
2006028947.tif 000003
【図２】
2006028947.tif 000004
【図３】
2006028947.tif 000005